(57)【特許請求の範囲】
【請求項１】
口部と肩部、断面が８角形の胴部と底部とからなる加熱充填ボトルであって、
肩部は、円形断面の壁面と、その下方に配設された多角形壁面とからなっており、
多角形壁面は、上下に対向して補完する３２面の二等辺三角形の湾曲面によって形成され、多角形壁面における横断面は、３２角形となっていることを特徴とする加熱充填ボトル。
【請求項２】
口部と肩部、断面が８角形の胴部と底部とからなる加熱充填ボトルであって、
肩部は、断面円形の湾曲面によって形成され、湾曲面の中間部から下方に多数の凹部が上下および周方向に等間隔に配設されていることを特徴とする加熱充填ボトル。
【発明の詳細な説明】
【０００１】
【発明の属する技術分野】
本発明は、ブローボトル、とくにボトル肩部に補強リブを配設した加熱充填用のブローボトルに関する。
【０００２】
【発明が解決しようとする課題】
肩部が断面円形で、胴部が断面円形または多面体である加熱充填用のブローボトルにおいては、口部とそれに続く肩部は肉厚となっているので、肩部に補強リブ等を配設し補強することは、不要と考えられていた。
【０００３】
しかし、樹脂材料の節減のために、胴部とともに口部、肩部を薄肉にすることが求められるようになると、肩部の剛性、座屈強度が低下することにより、肩壁に衝撃が加えられたとき或いは減圧時に、肩壁が変形して商品価値を落とすというおそれが生じるという問題があった。
【０００４】
本発明は、上記の事情を考え、薄肉としたブローボトルであって、肩部を補強した加熱充填ボトルを提供することを目的とする。
【０００５】
【課題を解決するための手段】
本発明は、上記の課題を解決するため、加熱充填ボトルとして、口部と肩部、断面が８角形の胴部と底部とからなる加熱充填ボトルであって、肩部は、円形断面の壁面と、その下方に配設された多角形壁面とからなっており、多角形壁面は、上下に対向して補完する３２面の二等辺三角形の湾曲面によって形成され、多角形壁面における横断面は、３２角形となっていることを特徴とする構成を採用する。
【０００６】
別実施形態として、口部と肩部、断面が８角形の胴部と底部とからなる加熱充填ボトルであって、肩部は、断面円形の湾曲面によって形成され、湾曲面の中間部から下方に多数の凹部が上下および周方向に等間隔に配設されていることを特徴とする構成を採用する。
【０００７】
他の実施例として、口部と肩部、断面が８角形の胴部と底部とからなる加熱充填ボトルであって、肩部は、断面円形の壁面と、その下方に配設された１６面体の角形壁面とからなっていることを特徴とする構成を採用することができる。
【０００８】
【発明の実施の形態】
次に、本発明の第１実施形態について、図面を参照して説明する。
図１において、Ａはボトルであり、ＰＥＴその他の合成樹脂を用いて延伸ブロー成形され、内容液を加熱充填できる８面体のボトルである。
ボトルＡは、口部１と肩部２、断面が８角形の胴部３と底部４とからなっており、口部１外周には、ねじ５が螺設され、その下方にネックリング６が突設されている。
【０００９】
図１，２に示すように、肩部２は、口部１に続く断面円形の壁面７と、その下方に配設された１６面体の角形壁面８とからなっている。
角形壁面８は、周方向に等間隔に位置し、上下方向に延びる円弧を接続縁９とした１６面の湾曲面１０によって形成されており、図３に示すように、角形壁面８における肩部横断面は、正１６角形となっている。
【００１０】
図１に示すように、胴部３と肩部２との境目には、横凹リブ１１が配設され、その下側は、細巾の円周面１２となっており、胴部３と底部４との境目には、横凹リブ１３が配設され、その上側は細巾の円周面１４となっている。
円周面１２と円周面１４との間の胴部３は断面が８角形となっており、各角部には、円周面１２と円周面１４とを結び、軸方向に延びる円弧壁面１５が形成され、全ての隣り合う円弧壁面１５の間には、減圧吸収面１６が形成されている。
【００１１】
減圧吸収面１６は、図１，４に示すように、隣り合う円弧壁面１５の側縁と上下の円周面１２，１４に接続され、傾斜壁１７と該傾斜壁１７の内側の側縁１８に接続するわずかに湾曲した平担壁１９とからなっている。
平坦壁１９としては、わずかに湾曲した壁面とともに、平面状の壁面であってもよい。
平坦壁１９には、上下を円弧とし、縦方向に延びる二辺からなる断面が弧状のリブ２０が設けられている。
【００１２】
図１，５に示すように、底部４は、横凹リブ１３に続く底部周壁２１と底端壁２２、底端壁２２より上方へ凹んだ底壁２３とからなっている。
底部周壁２１は接続部２４で接続する１６面の壁面２５によって形成され、その中間には、横凹リブ２６が設けられている。
底壁２３には、公知の放射状の補強リブ２７が複数個設けられている。
【００１３】
次に、本実施形態ボトルの作用効果について説明する。
本実施形態のボトルは、容量５００ｍｌ用の加熱充填用ボトルとして２６ｇ前後の樹脂重量を用いて成形されている。
肩部２において、各湾曲面１０の接続縁９が縦リブの役割を果たして、肩部２を補強するとともに、湾曲面１０が減圧吸収面として作用する際、湾曲面１０は接続縁９を軸として変形する。
底部４は、底部周壁２１が、１６面の各壁面２５と接続部２４が縦リブの役割を果たすことによって補強されている。
【００１４】
本実施形態のボトルは、胴部３とともに肩部２、底部４が補強されているので、
ＰＥＴの場合、容量５００ｍｌ用のボトルを２６ｇ前後の樹脂で成形し、樹脂量を２割近く節減することができ、従来のボトルより薄肉であるにもかかわらず、加熱充填ボトルとして強度を維持するとことができた。
【００１５】
次に、第２実施形態のボトルについて説明する。
本実施形態は、前記第１実施形態ボトルにおいて、肩部と、底部周壁の構成を変更したものである。
前記第１実施例と同一の構成部分について、添字ａを付して図示し、以下変更点を中心に説明する。
【００１６】
図６，７において、ボトルＢは、口部１ａ、肩部２ａ、胴部３ａ、底部４ａとからなっている。
肩部２ａは、円形断面の壁面７ａと、その下方に配設された多角形壁面３０とからなっている。
【００１７】
多角形壁面３０は、図８において、肩部２ａ上方に位置する小径円ａと、肩部２ａ下方に位置する大径円ｂのそれぞれの円周を１６等分するとともに、一方の円周の等分点を１／２等分角づつづらせて位置させ、双方の円周の等分点ｃを順次接続することによって、図８に示すような二等辺三角形ｄ，ｅを作成する。
多角形壁面３０は、二等辺三角形の頂点から下ろした垂線ｆを円弧とし、上下に対向して補完する３２面の湾曲面３１，３２によって形成され、多角形壁面３０における横断面は、３２角形となっている。
【００１８】
前記第１実施形態と同様に胴部３ａと肩部２ａとの境目には、横凹リブ１１ａが配設され、その下側は、細巾の円周面１２ａとなっており、胴部３ａと底部４ａとの境目には、横凹リブ１３ａが配設され、その上側は細巾の円周面１４ａとなっている。
円周面１２ａと円周面１４ａとの間の胴部３ａは断面が８角形となっており、各角部には、円周面１２ａと円周面１４ａとを結び、軸方向に延びる円弧壁面１５ａが形成され、全ての隣り合う円弧壁面１５ａの間には、減圧吸収面１６ａが形成されている。
減圧吸収面１６ａは、前記実施形態と同一であるので説明を省略する。
【００１９】
底部４ａは、横凹リブ１３ａに続く底部周壁２１ａと底端壁２２ａ、底端壁２２ａより上方へ凹んだ底壁２３ａとからなっている。
底部周壁２１ａは断面円形となっており、その中間には、横凹リブ３３が設けられている。
横凹リブ３３の底面３４には、等間隔に凸部３５が形成されており、底壁２３ａには、放射状の補強リブ２７ａが複数個設けられている。
【００２０】
次に、本実施形態の作用効果について説明する。
肩部２ａは、接続縁９ａが縦リブの役割を果たすことによって補強され、また、とくに下の湾曲面３２は、減圧吸収面としての役割を果たすことになる。
底部４ａは、横凹リブ３３の底面３４に凸部３５を形成しているから、横凹リブ３３自体が補強され、底部４ａの強度を増している。
前記第１実施形態と同様に、胴部３ａとともに、肩部２ａ、底部４ａが補強されているので、薄肉の加熱充填ボトルを得ることができる。
【００２１】
次に、第３実施形態のボトルについて説明する。
本実施形態は、肩部に多数の凹部を設け補強したもので、胴部の構成は第１実施形態と同一であるので、同一の構成については、添字ｂを付して図示し、以下相違点を中心に説明する。
【００２２】
図９，１０に示すように、ボトルＣは、口部１ｂ、肩部２ｂ、胴部３ｂ、底部４ｂとからなっており、肩部２ｂは、口部１ｂに続く断面円形の湾曲壁面４０によって形成され、湾曲壁面４０の中間部から下方に多数の凹部４１が配設されている。
多数の凹部４１は、上下方向に等間隔毎に、周方向には等角度毎に配列され、一定の深さを有する楕円形状としており、楕円の大きさは下方になるにしたがって大きくしている。
【００２３】
胴部３ｂと肩部２ｂとの境目には、横凹リブ１１ｂが配設され、胴部３ｂと底部４ｂとの境目に横凹リブ１３ｂが配設されていること、胴部の構成は前記第１実施形態と同様に同一であるので説明を省略する。
【００２４】
底部４ｂは、底部周壁２１ｂと底端壁２２ｂ、底端壁２２ｂより上方へ凹んだ底壁２３ｂとからなっている。
底部周壁２１ｂは断面円形となっており、その中間には、横凹リブ２６ｂが設けられている。
底壁２３ｂには、放射状の補強リブ２７ｂが複数個設けられている。
【００２５】
次に、本実施形態ボトルの作用効果について説明する。
肩部の湾曲壁面４０には、多数の凹部４１が上下、周方向に所定の間隔を持って配設されているので、湾曲壁面４０が均等に補強されている。
前記各実施形態と同様に、胴部３ｂと底部４ｂの補強とともに、肩部２ｂが補強されているので、薄肉の加熱充填ボトルを得ることができる。
【００２６】
前記各実施形態においては、樹脂重量を節減し、薄肉のボトルとした場合について説明したが、従来の薄肉でないボトルであっても、肩部に補強リブを配設することによって肩部の強度を増加させることができ、本発明は、薄肉の加熱充填ボトルに限定されない。
【００２７】
【発明の効果】
本発明は、上記のように構成されているから、次の効果を奏する。
肩部に、補強部材を配設し、胴部とともに肩部を補強しているので、とくに、薄肉ボトルとした場合にも肩部の強度を維持することができ、加熱充填ボトルとして、ボトルの樹脂重量を節減することができた。
【図面の簡単な説明】
【図１】本発明第１実施形態ボトルの正面図である。
【図２】同ボトルの上面図である。
【図３】図１のＡ−Ａ線における切断面図である。
【図４】図１のＢ−Ｂ線における切断面図である。
【図５】  ボトルの底面図である。
【図６】  第２実施形態ボトルの正面図である。
【図７】  ボトルの上面図である。
【図８】  肩部壁面の説明図である。
【図９】  第３実施形態ボトルの正面図である。
【図１０】  図９のＡ−Ａ線における切断面図である。
【符号の説明】
Ａ、Ｂ、Ｃ              ボトル
１、１ａ、１ｂ          口部
２、２ａ、２ｂ          肩部
３、３ａ、３ｂ          胴部
４、４ａ、４ｂ          底部
７、７ａ                壁面
８                      角形壁面
９、９ａ                接続縁
１０、１０ａ、３１、３２    湾曲面
１１、１１ａ、１１ｂ    横凹リブ
１５、１５ａ            円弧壁面
１６、１６ａ            減圧吸収面
２１、２１ａ、２１ｂ    底部周壁
２４                    接続部
２５                    壁面
２６、２６ａ、２６ｂ    横凹リブ
３０                    多角形壁面
３３                    横凹リブ
３４                    底面
３５                    凸部
４０                    湾曲壁面
４１                    凹部
【図１】
0003933846.tif 000002
【図２】
0003933846.tif 000003
【図３】
0003933846.tif 000004
【図４】
0003933846.tif 000005
【図５】
0003933846.tif 000006
【図６】
0003933846.tif 000007
【図７】
0003933846.tif 000008
【図８】
0003933846.tif 000009
【図９】
0003933846.tif 000010
【図１０】
0003933846.tif 000011